(57)【要約】【課題】  本考案は、精神的な興奮を高めることができる射精促進装置のホルダを提供することを課題とする。【解決手段】  射精促進装置ＳＳを取り付け可能なホルダであって、表示部１１を有したカバー部材１０と、このカバー部材１０内に収納されるクッション部材２０と、を備え、前記クッション部材２０は、前記射精促進装置ＳＳが設置される設置穴２１と、この設置穴２１に前記射精促進装置ＳＳを固定する固定手段と、を有し、前記カバー部材１０は、前記射精促進装置ＳＳを露出する露出部１２を有していることを特徴とする構成となっている。【選択図】図１
0003207606.tif 000002
【実用新案登録請求の範囲】
【請求項１】
射精促進装置を取り付け可能なホルダであって、
表示部を有したカバー部材と、
このカバー部材内に収納されるクッション部材と、を備え、
前記クッション部材は、前記射精促進装置が設置される設置穴を有し、
前記カバー部材は、前記射精促進装置を露出する露出部を有していることを特徴とする、射精促進装置のホルダ。
【請求項２】
前記クッション部材は、前記設置穴に前記射精促進装置を固定する固定手段をさらに有することを特徴とする、請求項１に記載の射精促進装置のホルダ。
【請求項３】
前記固定手段は、前記設置穴の周囲に設けられる締め付け紐であり、
この締め付け紐は、紐体と、この紐体が挿通されるチューブ状のガイドを有していることを特徴とする、請求項２に記載の射精促進装置のホルダ。
【請求項４】
前記クッション部材は、伸縮性を有する外袋を有していることを特徴とする、請求項１〜３の何れかに記載の射精促進装置のホルダ。
【請求項５】
前記外袋は、２ＷＡＹトリコット又はスムースニットにより形成されていることを特徴とする、請求項４に記載の射精促進装置のホルダ。
【請求項６】
前記表示部には、女性の写真又は女性のキャラクターが印刷されていることを特徴とする、請求項１〜５の何れかに記載の射精促進装置のホルダ。
【考案の詳細な説明】
【技術分野】
【０００１】
本考案は、射精促進装置を取り付け可能な射精促進装置のホルダに関し、特に、使用者の性的興奮を高めることができる射精促進装置のホルダに関する。
【背景技術】
【０００２】
従来より、医学的な研究や治療上の必要から男性の精子を採取するためや、個人的な性的欲求を解消させるために、様々な射精促進装置が提供されている。
【０００３】
この射精促進装置としては、容器内に陰茎を挿入し、使用者が容器を前後方向に動かして陰茎を摺擦してマッサージすることにより射精を促進させるもの（特許文献１）や、女性の骨盤部，性器，臀部をほぼ実物大に模したものを静止させておいて陰茎を出し入れするもの（特許文献２）、等が知られている。
【先行技術文献】
【特許文献】
【０００４】
【特許文献１】特開２００６−３３４１７６号公報
【特許文献２】特表２０１４−５２７４５２号公報
【考案の概要】
【考案が解決しようとする課題】
【０００５】
ところで、射精を促進する上で重要な要素となるのが、陰茎への物理的な刺激と、使用者の精神的な興奮である。この精神的な興奮が射精に密接に関連していることは、夢精のように陰茎に物理的刺激を与えず、精神的な興奮だけでも射精が起こりうることからも、容易に理解できる。そのため、精神的な興奮を高めることにより、効率よく精子を採取することができ、個人的な満足感も高まると考えられる。
【０００６】
そこで、本考案者は、物理的な刺激とともに精神的な興奮を高める器具について鋭意検討した結果、射精促進装置を抱き心地の良い（肌触りの良い）クッション製ホルダに設置し、このホルダの外表面に女性をモチーフとしたデザインを表示することにより、使用者の精神的な興奮を高めることができるという着想を得た。
【０００７】
本考案は、上記実情に鑑み、精神的な興奮を高めることができる射精促進装置のホルダを提供することを課題とする。
【課題を解決するための手段】
【０００８】
上記課題を解決するため、本考案に係る射精促進装置のホルダは、射精促進装置を取り付け可能なホルダであって、表示部を有したカバー部材と、このカバー部材内に収納されるクッション部材と、を備え、前記クッション部材は、前記射精促進装置が設置される設置穴を有し、前記カバー部材は、前記射精促進装置を露出する露出部を有していることを特徴とする。
このように、カバー部材の露出部から陰茎を射精促進装置に挿入可能な構成とすることにより、カバー部材の表示部を視界に入れながら陰茎をマッサージすることができる。このような構成としたことにより、射精促進装置による陰茎への物理的な刺激に与えつつ、表示部の視覚的な効果によって、使用者の精神的な興奮を高めることができる。
【０００９】
本考案の好ましい形態では、前記クッション部材は、前記設置穴に前記射精促進装置を固定する固定手段をさらに有することを特徴とする。
このように、固定手段を設けることで射精促進装置が容易に外れてしまうことを抑制することができる。
【００１０】
本考案の好ましい形態では、前記固定手段は、前記設置穴の周囲に設けられる締め付け紐であり、この締め付け紐は、紐体と、この紐体が挿通されるチューブ状のガイドを有していることを特徴とする。
このように、固定手段は、紐体とガイドを有する締め付け紐を採用することにより、射精促進装置が外れてしまうことを抑制することができる固定手段を容易に取り付けることができる。
【００１１】
本考案の好ましい形態では、前記クッション部材は、伸縮性を有する外袋を有していることを特徴とする。
このように、伸縮性を有する外袋を有していることにより、ホルダの肌触りを良くして、使用者の精神的な興奮を高めることができる。
【００１２】
本考案の好ましい形態では、前記表示部には、女性の写真又は女性のキャラクターが印刷されていることを特徴とする。
このように、表示部には女性の写真やキャラクターを印刷することにより、さらに使用者の精神的な興奮を高めることができる。
【考案の効果】
【００１３】
本考案は、精神的な興奮を高めることができる射精促進装置のホルダを提供することができる。
【図面の簡単な説明】
【００１４】
【図１】本考案の一実施形態に係る射精促進装置のホルダの外観図である。
【図２】本考案の一実施形態に係る射精促進装置のホルダの分解斜視図である。
【図３】本考案の一実施形態に係る射精促進装置のホルダのクッション部材にカバー部材を装着した外観図である。
【図４】本考案の一実施形態に係る射精促進装置のホルダのクッション部材の外観図である。
【考案を実施するための形態】
【００１５】
以下、本考案を図面に示した好ましい一実施形態について、図１〜図４を用いて詳細に説明する。本考案の技術的範囲は、添付図面に示した実施形態に限定されるものではなく、実用新案登録請求の範囲に記載された範囲内において、適宜変更が可能である。
【００１６】
本考案の一実施形態に係る射精促進装置のホルダは、射精促進装置ＳＳを取り付け可能なホルダであって、表示部１１を有したカバー部材１０と、このカバー部材１０内に収納されるクッション部材２０と、を備えている。
【００１７】
図１は一実施形態に係る射精促進装置のホルダに射精促進装置ＳＳを収納した状態の外観図であり、図１（ａ）は正面図を、図１（ｂ）は底面側から見た斜視図をそれぞれ示している。
図２は、射精促進装置ＳＳがクッション部材２０に収納され、このクッション部材２０がカバー部材１０に収納される様子を示している。
図３は、クッション部材２０にカバー部材１０を装着した外観図であり、図３（ａ）は正面図を、図３（ｂ）は底面図を示している。
図４は、クッション部材２０の外観図であり、図４（ａ）は正面図を、図４（ｂ）は底面図を示している。
【００１８】
カバー部材１０は、図１〜図３に示すように、クッション部材２０を収納可能な袋状に形成されており、カバー部材１０の表面に設けられる表示部１１と、カバー部材１０内に配置される射精促進装置ＳＳを露出する露出部１２と、クッション部材２０を導入可能な開口部１３と、を有している。
【００１９】
表示部１１には、例えば、女性の写真やキャラクター等、射精促進装置ＳＳの使用者が性的な興奮を覚えるような印刷が施されていることが望ましい。この表示部１１は、カバー部材１０の表裏に設けることができ、それぞれ異なるデザインを印刷することが可能である。例えば、表面には女性キャラクターの正面側が印刷され、裏面には女性キャラクターの背面側が印刷されている。
【００２０】
露出部１２は、クッション部材２０に設置された射精促進装置ＳＳが露出可能な位置・大きさに形成されている。そのため、この露出部１２に使用者の陰茎を挿入することで、クッション部材２０の設置穴２１に設置された射精促進装置ＳＳに陰茎が挿入されるよう構成されている。
【００２１】
開口部１３は、クッション部材２０が入る大きさに設定されており、カバー部材１０の縁部に設けられていることが望ましい。この開口部１３には、ファスナーやスナップボタン等の固定部材を設けることができる。
【００２２】
クッション部材２０は、図４に示すように、射精促進装置ＳＳが設置される設置穴２１と、この設置穴２１に射精促進装置を固定する締め付け紐２２（固定手段の一例）と、を有している。このクッション部材２０は、市販のクッションや抱き枕に採用される、伸縮性を有する外袋２０ａと、この外袋２０ａ内に収納されるクッション材により形成されている。
【００２３】
外袋２０ａは、肌触りの良い伸縮性を有する素材で形成されていればよく、例えば、ポリエステル繊維やポリウレタン繊維が採用される。特に、２ＷＡＹトリコットと呼ばれる縦方向と横方向の両方に伸びるトリコット編みの生地や、スムースニットと呼ばれる一方向に伸びるニット生地が好ましく用いられる。この他にも、肌触りの良い材料であれば当然に使用することができる。
前記クッション材には、例えば、天然又は合成繊維からなるわた、合成樹脂からなるパイプ状ビーズ、発泡樹脂からなるビーズ、合成樹脂製又はゴム製のスポンジ、羽毛、穀類の殻、木製又はコルク製の粒状体等、通常のクッションや抱き枕に使用される材料が採用される。
また、このクッション部材２０は、人がうずくまった程度の大きさに形成されており、使用者が抱き着くことができる大きさに設定されている。
【００２４】
設置穴２１は、射精促進装置ＳＳが挿入可能な大きさに形成されており、カバー部材１０に収納した際に露出部１２から射精促進装置ＳＳが露出される位置に形成されている。クッション部材２０の外袋２０ａが伸縮性のある材料で形成されているため、設置穴２１内の側壁は設置穴２１の開口を狭めるように収縮する。そのため、設置穴２１に射精促進装置ＳＳを設置（挿入）した場合には、設置穴２１内の側壁が射精促進装置ＳＳを周囲から締め付けるようにして固定される。
【００２５】
しかしながら、射精促進装置ＳＳに陰茎を出し入れする間に、射精促進装置ＳＳが摩擦によって移動し、設置穴２１から外れてしまう可能性がある。そのため、設置穴２１内や入り口付近には、射精促進装置ＳＳが移動することを抑制する固定手段を備えていることが望ましい。
【００２６】
締め付け紐２２は、射精促進装置ＳＳの移動を抑制する固定手段の一例であり、紐体２２ａと、この紐体２２ａが挿通されたチューブ状のガイド２２ｂと、を備えている。
このチューブ状のガイド２２ｂが、設置穴２１の周囲に沿って配置されており、このガイド２２ｂに挿通された紐体２２ａを引き絞ることで、締め付け紐２２の径を狭めることができる。そして、この締め付け紐２２によって、射精促進装置ＳＳの側面部を強く締め付けたり、射精促進装置ＳＳの径よりも小さく狭めることにより、射精促進装置ＳＳが外れてしまうことを抑制することができる。
なお、このガイド２２ｂは、縫い付けや接着剤などの接着手段によってクッション部材２０の表面や設置穴２１の内面に容易に取り付けることができる。
【００２７】
本実施形態においては、固定手段として締め付け紐２２を例示したが、射精促進装置ＳＳを固定可能な構成であれば、当然に採用することができる。例えば、ゴム等の弾性材料で挟む構成を採用してもよいし、ネジやナットによって固定する構成にしてもよい。
また、本実施形態においては締め付け紐２２を設置穴２１の入り口付近に設けた様子を例示したが、設置穴２１内に設けることも当然に可能である。
【００２８】
なお、図１および図２において、射精促進装置ＳＳの外形は、概略円筒状に形成されたものを例示したが、陰茎を挿入可能な挿入穴を有していれば外形に制限はなく、クッション部材２０および設置穴２１の形状を設計変更することにより本考案に適用することができる。
【００２９】
本考案によれば、伸縮性を有したクッション部材２０に射精促進装置ＳＳを設置可能な設置穴２１を形成したことにより、肌触りの良いクッション部材２０を抱きながら、陰茎に物理的な刺激を与えることができる。すなわち、特許文献１に記載されたような概略円筒状の射精促進装置ＳＳをクッション部材２０に設置することにより、クッション部材２０を前後運動させて陰茎をマッサージしたり、クッション部材２０を静止させて陰茎を出し入れしたりと、使用者の好ましい体位で陰茎をマッサージすることができる。このように、様々な体位でマッサージを行うことにより、使用者の精神的な興奮を高めることができる。
【００３０】
また、本考案によれば、カバー部材１０の表示部１１に、好みの女性やキャラクター等を印刷することにより、精神的な興奮を高めることができる。
さらに、その時の気分にあったデザインのカバー部材１０に交換することにより、さらに精神的な興奮を高めることができる。
【００３１】
また、本考案によれば、クッション部材２０に伸縮性を有する外袋２０ａを採用することにより、肌触りを良くして精神的な興奮を高めるとともに、射精促進装置ＳＳが外れるのを抑制することができる。
【００３２】
また、本考案によれば、クッション部材２０に、紐体２２ａとガイド２２ｂとを有する締め付け紐２２を備えることにより、マッサージ中に射精促進装置ＳＳが外れてしまうことを抑制することができる。この締め付け紐２２は、クッション部材２０の外袋２０ａに縫い付けるだけで取り付けることができるため、容易に製造することができる。
【符号の説明】
【００３３】
１０  カバー部材
１１  表示部
１２  露出部
２０  クッション部材
２１  設置穴
２２  締め付け紐
ＳＳ  射精促進装置
【図１】
0003207606.tif 000003
【図２】
0003207606.tif 000004
【図３】
0003207606.tif 000005
【図４】
0003207606.tif 000006